(57)【要約】【課題】ポンプモジュール全体の高さをフューエルポンプの高さと略同一とし、且つ該フューエルポンプを備えたポンプ部をフィルタ部側とその側面相互において装着固定することにより、ポンプモジュールの小型軽量化及び組み立て工程の簡略化を図ることを目的とするものである。【解決手段】サクションフィルタ、フューエルポンプ及び吐出部よりなるポンプ部と、該吐出部と連結される連結部、フィルタを設けたフィルタ室及び送出管よりなるフィルタ部とから構成され、該ポンプ部及びフィルタ部にはその側面に各々両者を装着固定するための固定手段を構成してなることを特徴とするポンプモジュール。【選択図】図１
2004003392.tif 000002
【特許請求の範囲】
【請求項１】
サクションフィルタ、フューエルポンプ及び吐出部よりなるポンプ部と、該吐出部と連結される連結部、フィルタを設けたフィルタ室及び送出管よりなるフィルタ部とから構成され、該ポンプ部及びフィルタ部にはその側面に各々両者を装着固定するための固定手段を構成してなることを特徴とするポンプモジュール。
【請求項２】
吐出部は燃料送出のための開口部を側部に形成したフューエルポンプの中心軸に対し垂直方向の突出部とされ、該吐出部と対向するフィルタ部上部にはフューエルポンプの中心軸に対し垂直方向に連結部を突出形成し、該吐出部と連結部とを挿入連結することを特徴とする請求項１に記載のポンプモジュール。
【請求項３】
固定手段は、ポンプ部の上部側面に形成した係合手段とフィルタ部の内側側面上方部に形成した該係合手段と係合される上部支持部とより構成したことを特徴とする請求項１又は２に記載のポンプモジュール。
【請求項４】
固定手段は、ポンプ部の上部側面及び底面部側に各々形成した係合手段と、フィルタ部の内側側面上方部に形成した該上部側面の係合手段と係合される上部支持部及び下方部に形成した該底面部側の係合手段と係合される下部支持部とより構成したことを特徴とする請求項１又は２に記載のポンプモジュール。
【請求項５】
サクションフィルタ、フューエルポンプ及び吐出部よりなるポンプ部と、該吐出部と連結される連結部、フィルタを設けたフィルタ室及び送出管よりなるフィルタ部並びに該ポンプ部をその側面より支持する抱持部とから構成され、該フィルタ部及び抱持部にはその側面に各々両者を装着固定するための固定手段を構成してなることを特徴とするポンプモジュール。
【請求項６】
吐出部は燃料送出のための開口部を側部に形成したフューエルポンプの中心軸に対し垂直方向の突出部とされ、該吐出部と対向するフィルタ部上部にはフューエルポンプの中心軸に対し垂直方向に連結部を突出形成し、該吐出部と連結部とを挿入連結することを特徴とする請求項５に記載のポンプモジュール。
【請求項７】
固定手段は、フィルタ部の内側側面上方部に形成した上部支持部と抱持部の側面に形成した該上部支持部と係合される係合手段とより構成したことを特徴とする請求項５又は６に記載のポンプモジュール。
【発明の詳細な説明】
【０００１】
【発明の属する技術分野】
本発明は、燃料タンク内に配設するポンプモジュールにおいて、ポンプの能力を維持した状態で小型化することを可能とし且つ組み立てを容易としたポンプモジュールを提供するものである。
【０００２】
【従来の技術】
従来の燃料タンク内に配設するポンプモジュールＡは、図５及び図６に示すように、燃料タンク内の底部に配設されるサクションフィルタＢ、該サクションフィルタＢを通過し、濾過した燃料を吐出させるための吸引・送出力を与えるフューエルポンプＣ、その吸引された燃料を更に濾過するためにフィルタ室Ｄへ送出するための吐出部Ｅ、フィルタ室Ｄ内に配設されたフィルタＦ及び該フィルタＦにより濾過された燃料をエンジン方向へ吐出するための送出管Ｇとより構成されている。
【０００３】
上記ポンプモジュールＡを組み立てるには、図５に示すように、サクションフィルタＢ、フューエルポンプＣ及び吐出部Ｅより構成される内側配設部材を、フィルタＦが配設されるフィルタ室Ｄ及び送出管Ｇとより構成されたカバー部材の筒状の空間Ｓ内へ該内側配設部材を装着している。
従って、上記カバー部材は、該内側配設部材をその空間Ｓ内に配設するために、底部が開口した略筒状の形状をし、該内側配設部材を底部側より挿入して装着している。
【０００４】
上記装着手段では、該内側配設部材を装着した後、該内側配設部材がカバー部材より脱落することを防止するため、該カバー部材の底部外方より脱落防止ホルダＨを嵌合固定している。該内側配設部材の下部には燃料を濾過するための偏平状に広がる大きな表面積を有するサクションフィルタＢを構成しているので、該脱落防止ホルダＨの底部に切欠部Ｉを形成し、該切欠部ＩをサクションフィルタＢとフューエルポンプＣとの連結部Ｊに挿入し、カバー部材の下端部側より装着し、該カバー部材と固定している。
【０００５】
また、図５、６に示すように、フューエルポンプＣにより吸引された燃料をフィルタ室Ｄへ送出するための吐出部Ｅは、該フューエルポンプＣの上部にその開口部Ｋを上方に向けて開口し、該開口部Ｋより吐出した燃料はカバー部分の上部空間Ｌへ送られ、該空間Ｌを通過してフィルタ室Ｄへ送出されることになる。従って、上記空間Ｌは燃料通路としてのみの機能をしていた。
【０００６】
【発明が解決しようとする課題】
図５、６に示す従来のポンプモジュールＡは、上記のように内側配設部材をカバー部材の下方より空間Ｓ内に挿入しているので、該内側配設部材を下方より支持する必要があり、そのため脱落防止ホルダＨを下方部より該カバー部材と取着固定するが、内側配設部材の荷重が直接かかる箇所であり強固に固定しなければならず、それらを組み立てる作業及び固定する作業に時間を要していた。
【０００７】
更に、ポンプモジュールＡの設置箇所は燃料タンク内であり、昨今の小型軽量化の要求において、当該ポンプモジュールＡには上記のように構成要素として各部品が最低限必要であり、フューエルポンプＣの能力を維持した状態での小型軽量化には困難があった。特に上下方向の高さを小型化するにはフューエルポンプＣ自体の高さ及びそれに連続する吐出部Ｅが上方へ延出して存在するため困難であった。
本発明は、ポンプモジュール全体の高さをフューエルポンプの高さと略同一としたこと及び該フューエルポンプを備えたポンプ部とフィルタを備えたフィルタ部とを、その側面側から固定することにより上記問題点を解決したものである。
【０００８】
【課題を解決するための手段】
本発明は、サクションフィルタ、フューエルポンプ及び吐出部よりなるポンプ部と、該吐出部と連結される連結部、フィルタを設けたフィルタ室及び送出管よりなるフィルタ部とから構成され、該ポンプ部及びフィルタ部にはその側面に各々両者を装着固定するための固定手段を構成してなるポンプモジュールを特徴とする。
【０００９】
また、上記吐出部は燃料送出のための開口部を側部に形成したフューエルポンプの中心軸に対し垂直方向の突出部とされ、該吐出部と対向するフィルタ部上部にはフューエルポンプの中心軸に対し垂直方向に連結部を突出形成し、該吐出部と連結部とを挿入連結するポンプモジュールを特徴とする。
【００１０】
更に、上記固定手段は、ポンプ部の上部側面に形成した係合手段とフィルタ部の内側側面上方部に形成した該係合手段と係合される上部支持部とより構成したポンプモジュールを特徴とする。
【００１１】
また、上記固定手段は、ポンプ部の上部側面及び底面部側に各々形成した係合手段と、フィルタ部の内側側面上方部に形成した該上部側面の係合手段と係合される上部支持部及び下方部に形成した該底面部側の係合手段と係合される下部支持部とより構成したポンプモジュールを特徴とする。
【００１２】
更に、サクションフィルタ、フューエルポンプ及び吐出部よりなるポンプ部と、該吐出部と連結される連結部、フィルタを設けたフィルタ室及び送出管よりなるフィルタ部並びに該ポンプ部をその側面より支持する抱持部とから構成され、該フィルタ部及び抱持部にはその側面に各々両者を装着固定するための固定手段を構成してなるポンプモジュールを特徴とする。
【００１３】
また、上記吐出部は燃料送出のための開口部を側部に形成したフューエルポンプの中心軸に対し垂直方向の突出部とされ、該吐出部と対向するフィルタ部上部にはフューエルポンプの中心軸に対し垂直方向に連結部を突出形成し、該吐出部と連結部とを挿入連結するポンプモジュールを特徴とする。
【００１４】
更に、上記固定手段は、フィルタ部の内側側面上方部に形成した上部支持部と抱持部の側面に形成した該上部支持部と係合される係合手段とより構成したポンプモジュールを特徴とする。
【００１５】
【発明の実施の形態】
【実施例１】
図１は、本発明のポンプモジュール１を分解した斜視図を示している。
上記ポンプモジュール１は、サクションフィルタ２、該サクションフィルタ２を通過し濾過した燃料を吐出させるための吸引力を与えるフューエルポンプ３、その吸引された燃料を該フューエルポンプ３の送出力により更に濾過するためにフィルタ室４へ送出するための吐出部５よりなるポンプ部と、該ポンプ部に形成した該吐出部５と連結される連結部６、該連結部６を通過した燃料を濾過するためのフィルタ７を設けたフィルタ室４、該フィルタ７により濾過された燃料をエンジン方向へ吐出するための送出管８、該ポンプ部を装着固定するためにフィルタ室４の内側側面上方部に形成した上部支持部９、１０、及び同じく下方部に形成した下部支持部１１よりなるフィルタ部から構成されている。
【００１６】
上記ポンプモジュール１のサクションフィルタ２は、燃料タンク内の燃料を濾過するために、その底部に配設するように構成され、その形状はより多くの燃料を吸引可能とし、且つその厚さを薄くするために、偏平状に広がる大きな表面積を有する形状を構成している。
該サクションフィルタ２は、フューエルポンプ３と連結管１２により連結され、燃料タンク内の燃料を濾過しながら、当該燃料を上方へ送出する。フューエルポンプ３の上部には該燃料を送出するための開口部を側部側に形成したフューエルポンプの中心軸に対し垂直方向に突出した吐出部５を形成し、従って、該燃料は該吐出部５を通過しフューエルポンプの中心軸に対し垂直方向に送出されることになる。
【００１７】
図２に示すように、吐出部５はフューエルポンプの中心軸に対し垂直方向に突出され、その開口部は側部に形成され、対向するフィルタ部上部のフューエルポンプの中心軸に対し垂直方向に突出形成した連結部６と挿入連結される。該吐出部５と連結部６との間にグロメット１３を間挿することにより、両者を密着連結し且つ振動等により両者が損傷することを防止している。
本実施例１では、吐出部５の開口部へ連結部６を挿入することにより両者を連結している。
【００１８】
該フィルタ部は、その内外の側壁が略平行状で且つ劣弧状の曲面体よりなる函体とされ、その内側空間部はフィルタ７を配設するフィルタ室４としている。上記吐出部５及び連結部６を通過した燃料は該フィルタ室４へ送出され、フィルタ７の上部より下方部となる下流側へと送出され、該フィルタ７により濾過され、その下部より送出管８へと送られることになる。
【００１９】
上記内側壁の上部左右には、所定間隔を有してポンプ部の上方部を固定するための上部支持部９、１０が突出形成されている。該上部支持部９、１０は、連結部６を中心として左右対称に形成され、該上部支持部９、１０には係止孔１４、１５が形成されている。
他方、上記吐出部５となる外側側壁部分には、上記係止孔１４、１５と係止する嵌合突起１６、１６が形成されている。ポンプ部の吐出部５と連結部６とを横方向より挿入しながら相互に連結し、上記上部支持部９、１０の係止孔１４、１５とポンプ部の嵌合突起１６、１６とを係合することによりポンプ部とフィルタ部とが装着固定されることになる。
【００２０】
また、フィルタ部の下部には、ポンプ部の支持を強固とするために下部支持部１１を形成している。
該下部支持部１１は、該ポンプ部を載置支持する突出支持部１７、連結管１２を挿入可能とするための切欠部１８及び該切欠部１８奥の段部に形成された嵌合溝１９とより形成されている。
他方、ポンプ部の底部或いは連結管１２の側部には、上記嵌合溝１９と係止する突起２０を形成し、両者の係合により、ポンプ部の下方部側をフィルタ部と固定することができる。
【００２１】
図１、２では、上記フィルタ部下部のポンプ部を支持する下部支持部１１に段部を設けているが、平面状でもよい。
上記フィルタ部の上部支持部９、１０及び下部支持部１１とポンプ部の嵌合突起１６、１６及び突起２０とにより、フィルタ部とポンプ部とを強固に固定することが可能となる。
【００２２】
上記実施例１でのフィルタ部の上部支持部９、１０及び下部支持部１１における係止孔１４、１５及び嵌合溝１９とポンプ部の嵌合突起１６、１６及び突起２０との嵌合手段の凹凸の関係を各々逆としても良い。
また、上記構成要素よりなる各部材を組み立て形成したポンプモジュールは、燃料タンクの設置箇所或いはそれ自体の配設位置により垂直方向に取着される以外、様々な位置で本体に取り付けることができる。
【００２３】
【実施例２】
図３は、本発明の他の実施例を示すもので、実施例１のポンプ部のフューエルポンプ３の上方部に形成した吐出部５に相当するフューエルポンプの中心軸に対し垂直方向に突出形成した吐出管２１は、その吐出口となる管径を細く形成し、他方、フィルタ部の連結部２３の開口部を大径とし、該吐出管２１をグロメット２２を介して対向する該連結部２３の開口部に挿入し、ポンプ部とフィルタ部との燃料通路を連結している。
【００２４】
【実施例３】
図４は、本発明の他の実施例を示している。
ポンプモジュール３１は、上記実施例１、２同様、サクションフィルタ３２、フューエルポンプ３３及び吐出部３５とよりなるポンプ部と、該ポンプ部に形成された上記吐出部３５と連結される連結部３６、該連結部３６通過した燃料を濾過するためのフィルタ３７を設けたフィルタ室３４、燃料吐出のための送出管３８及び該ポンプ部を装着固定するための支持部３９、４０よりなるフィルタ部並びに抱持部４１とより構成されている。
【００２５】
上記サクションフィルタ３２は、該フューエルポンプ３３と連結管４２により連結され、フューエルポンプ３３の上部には吐出部３５が形成され、該吐出部３５はフューエルポンプの中心軸に対し垂直方向に突出され、その開口部は側部側に形成されている。該吐出部３５は対向するフィルタ部の上部の内側側面よりフューエルポンプの中心軸に対し垂直方向に突出形成した連結部３６と挿入連結される。該吐出部３５と連結部３６との間にグロメット４３を間挿することにより、両者を密着連結し且つ振動等により両者が損傷することを防止している。
【００２６】
該フィルタ部は、その内外の側壁が略平行状で且つ劣弧状の曲面体よりなる函体とされ、その内側空間部はフィルタ３７を配設するフィルタ室３４としている。上記内側壁部のやや上方となる位置の左右には所定間隔を有してポンプ部を固定するための支持部３９、４０が外方へ突出形成されている。該支持部３９、４０は、連結部３６を中心として左右対称に形成され、該支持部３９、４０には嵌合突起４４、４５を形成している。
【００２７】
他方、ポンプ部をその側面側から支持するため、抱持部４１を形成している。該抱持部４１は、ポンプ部の側壁に沿った湾曲状の側壁となる嵌合支持部４６を有し、有底半割筒状体の形状に形成されている。該ポンプ部をその側面及び底面を抱着するようにしてその側面側より該フィルタ部に取着させる。該抱持部４１は、上記湾曲状の嵌合支持部４６の側壁部にフィルタ部の嵌合突起４４、４５を係止する係止孔４７、４８を形成している。
【００２８】
また、上記抱持部４１の底部は、フューエルポンプ３３を載置支持する突出支持部４９を、該嵌合支持部４６に対して直交する方向に突出して形成している。該突出支持部４９には、サクションフィルタ３２とフューエルポンプ３３とを連結する連結管４２を挿入するための切欠部５０を形成している。
上記フィルタ部の支持部３９、４０の嵌合突起４４、４５と抱持部４１の係止孔４７、４８を嵌合することによりフィルタ部とポンプ部とを強固に固定することが可能となる。
【００２９】
なお、上記実施例３でのフィルタ部の支持部３９、４０における嵌合突起４４、４５と抱持部４１の係止孔４７、４８との嵌合突起と係止孔との嵌合手段の凹凸の関係を各々逆としても良い。
【００３０】
【発明の効果】
本発明はポンプ部における燃料送出のための開口部を側部側に形成したフューエルポンプの中心軸に対し垂直方向に突出した吐出部を形成し、フューエルポンプによって吸引された燃料をフィルタ部の上部よりフィルタ室の上方部へ直接送り込む構造を採用したことにより、図２の点線で示す燃料通路及び筒状体の多くの部分を省くことができ、該フューエルポンプの能力を維持した状態でポンプモジュール全体の高さを略ポンプの高さとなるように低く押さえること及び使用材料を大幅に削減することが可能となった。
【００３１】
また、ポンプ部とフィルタ部との連結を横方向からの連結とし、該ポンプ部をフィルタ部の側面又は側面及び底部から支持するように構成したので、フィルタ部の下方部より別途脱落防止用の部品を装着して固定する必要がなくなり、ワンタッチでポンプ部とフィルタ部とを連結することができ、大幅な作業工程の短縮を可能とした。
【図面の簡単な説明】
【図１】本発明のポンプモジュールの分解斜視図
【図２】本発明のポンプモジュールの断面図。
【図３】本発明のポンプモジュールの他の実施例の断面図。
【図４】本発明のポンプモジュールの他の実施例の分解斜視図。
【図５】従来のポンプモジュールの分解斜視図。
【図６】従来のポンプモジュールの断面図。
【符号の説明】
１、３１・・ポンプモジュール
２、３２・・サクションフィルタ
３、３３・・フューエルポンプ
４、３４・・フィルタ室
５、３５・・吐出部
６、３６・・連結部
７、３７・・フィルタ
８、３８・・送出管
９、１０・・上部支持部
１１・・下部支持部
１２・・連結管
１３・・グロメット
１４、１５・・係止孔
１６・・突起
１７・・突出支持部
１８・・切欠部
１９・・嵌合溝
２０・・突起
２１・・吐出管
２２・・グロメット
２３・・連結部
３９、４０・・支持部
４１・・抱持部
４２・・連結管
４３・・グロメット
４４、４５・・嵌合突起
４６・・嵌合支持部
４７、４８・・係止孔
４９・・突出支持部
５０・・切欠部
【図１】
2004003392.tif 000003
【図２】
2004003392.tif 000004
【図３】
2004003392.tif 000005
【図４】
2004003392.tif 000006
【図５】
2004003392.tif 000007
【図６】
2004003392.tif 000008